(57)【要約】【課題】光源ディミング方法及びそれを実行するための表示装置を提供すること。【解決手段】導光板と、前記導光板の第１エッジに配置された第１〜第ｋ光源ブロックからなる第１発光モジュールと、前記第１エッジに対向する前記導光板の第２エッジに配置された第１〜第ｍ光源ブロックからなる第２発光モジュールとを含む光源モジュールのディミング方法は（ｋ及びｍは自然数）、画像に基づいて第１グループの第１〜第ｋ駆動信号及び第２グループの第１〜第ｍ駆動信号を生成する。基準区間の第１区間の間に第１グループの第１〜第ｋ駆動信号で前記第１発光モジュールの第１〜第ｋ光源ブロックを駆動し、基準区間の第２区間の間に第２グループの第１〜第ｍ光源信号で前記第２発光モジュールの第１〜第ｍ光源ブロックを駆動する。【選択図】図１
2010282197.tif 000002
【特許請求の範囲】
【請求項１】
導光板と、前記導光板の第１エッジに配置された第１〜第ｋ光源ブロックからなる第１発光モジュールと、前記第１エッジに対向する前記導光板の第２エッジに配置された第１〜第ｍ光源ブロックからなる第２発光モジュールとを含む光源モジュールのディミング方法において（ｋ及びｍは自然数）、
画像に基づいて第１グループの第１〜第ｋ駆動信号及び第２グループの第１〜第ｍ駆動信号を生成する段階と、
基準区間の第１区間の間に前記第１グループの第１〜第ｋ駆動信号によって前記第１発光モジュールの第１〜第ｋ光源ブロックを駆動し、前記基準区間の第２区間の間に前記第２グループの第１〜第ｍ駆動信号によって前記第２発光モジュールの第１〜第ｍ光源ブロックを駆動する段階と、を含むことを特徴とするディミング方法。
【請求項２】
前記光源モジュールは、前記導光板の第１エッジに隣接する第３エッジに配置された第３発光モジュール及び前記第３エッジに対向する前記導光板の第４エッジに配置された第４発光モジュールをさらに含み、
前記第３発光モジュール及び前記第４発光モジュールを前記基準区間の間に駆動する段階をさらに含むことを特徴とする請求項１に記載のディミング方法。
【請求項３】
前記第１発光モジュールに隣接する前記表示パネルに表示される第１部分画像と前記第２発光モジュールに隣接する前記表示パネルに表示される第２部分画像の輝度比を利用して前記第１区間及び前記第２区間を決定する段階をさらに含むことを特徴とする請求項１に記載のディミング方法。
【請求項４】
同一階調からなる所定画像が前記第１部分画像と前記第２部分画像との境界領域に位置する場合、前記所定画像に対応する光源ブロックのうち、駆動区間の短い光源ブロックをブースティング駆動する段階をさらに含むことを特徴とする請求項３に記載のディミング方法。
【請求項５】
前記画像に基づいて前記第１グループの第１〜第ｋ駆動信号及び前記第２グループの第１〜第ｍ駆動信号のデューティ比を決定する段階をさらに含み（ｋ＝ｍである自然数）、
前記第１〜第ｋ駆動信号のデューティ比と前記第１〜第ｍ駆動信号のデューティ比とはそれぞれ同一であることを特徴とする請求項１に記載のディミング方法。
【請求項６】
前記第１区間及び前記第２区間を前のフレームで決定された第１区間及び第２区間に基づいてローパスフィルタリング方式で補正する段階をさらに含むことを特徴とする請求項５に記載のディミング方法。
【請求項７】
前記第１〜第ｋ駆動信号のデューティ比と前記第１〜第ｍ駆動信号のデューティ比とのそれぞれを前のフレームで決定されたデューティ比に基づいてローパスフィルタリング方式で補正する段階と、
前記第１〜第ｋ駆動信号のデューティ比と前記第１〜第ｍ駆動信号のデューティ比とをそれぞれ隣接する光源ブロックのデューティ比に基づいてローパスフィルタリング方式で補正する段階と、をさらに含むことを特徴とする請求項５に記載のディミング方法。
【請求項８】
前記第１区間の長さと前記第２区間の長さとは同一であることを特徴とする請求項１に記載のディミング方法。
【請求項９】
前記画像に基づいて前記第１グループの第１〜第ｋ駆動信号にそれぞれ対応する第１グループのデューティ比と、前記第２グループの第１〜第ｍ駆動信号にそれぞれ対応する第２グループのデューティ比とを決定する段階をさらに含むことを特徴とする請求項８に記載のディミング方法。
【請求項１０】
同一階調からなる所定画像が互いに隣接する複数の発光ブロックに位置する場合、前記所定画像に対応する光源ブロックのうち、デューティ比が小さい光源ブロックをブースティング駆動する段階をさらに含むことを特徴とする請求項９に記載のディミング方法。
【請求項１１】
前記第１グループのデューティ比及び前記第２グループのデューティ比のそれぞれを前のフレームのデューティ比に基づいてローパスフィルタリング方式で補正する段階と、
前記第１グループのデューティ比及び前記第２グループのデューティ比のそれぞれを隣接する光源ブロックのデューティ比に基づいてローパスフィルタリング方式で補正する段階と、をさらに含むことを特徴とする請求項９に記載のディミング方法。
【請求項１２】
表示パネルと、
前記表示パネルの第１エッジに配置され、第１〜第ｋ光源ブロックからなる第１発光モジュールと、前記第１エッジと対向する前記表示パネルの第２エッジに配置され、第１〜第ｍ光源ブロックからなる第２発光モジュールとを含む光源モジュールと、
基準区間の第１区間の間、第１グループの第１〜第ｋ駆動信号を生成して前記第１発光モジュールの第１〜第ｋ光源ブロックを駆動し、前記基準区間の第２区間の間、第２グループの第１〜第ｍ駆動信号を生成して前記第２発光モジュールの第１〜第ｍ光源ブロックを駆動する光源駆動部と、を含むことを特徴とする表示装置。
【請求項１３】
前記光源モジュールは、前記表示パネルの第１エッジに隣接する第３エッジに配置された第３発光モジュール及び前記第３エッジに対向する前記表示パネルの第４エッジに配置された第４発光モジュールをさらに含み、
前記光源駆動部は、前記第３発光モジュール及び前記第４発光モジュールを前記基準区間の間に駆動することを特徴とする請求項１２に記載の表示装置。
【請求項１４】
前記光源駆動部は、
前記表示パネルに表示される第１〜第ｋ画像ブロックを利用して第１〜第ｋデューティ比を決定するディミングレベル決定部と、
前記第１発光モジュールに隣接する前記表示パネルに表示される第１部分画像と前記第２発光モジュールに隣接する前記表示パネルに表示される第２部分画像の輝度比を利用して前記第１区間及び前記第２区間を決定する周期決定部と、
前記第１〜第ｋデューティ比と、前記第１区間及び前記第２区間を利用して、前記第１グループの第１〜第ｋ駆動信号及び第２グループの第１〜第ｍ駆動信号を生成する信号発生部と、を含むことを特徴とする請求項１２に記載の表示装置。
【請求項１５】
前記光源駆動部は、
前記第１区間及び前記第２区間を前のフレームで決定された第１区間及び第２区間に基づいて、ローパスフィルタリング方式で補正し、前記第１〜第ｋデューティ比のそれぞれを前記前のフレームのデューティ比に基づいてローパスフィルタリング方式で補正する時間ローパスフィルタと、
前記第１〜第ｋデューティ比のそれぞれを隣接する光源ブロックのデューティ比に基づいてローパスフィルタリング方式で補正する空間ローパスフィルタと、をさらに含むことを特徴とする請求項１４に記載の表示装置。
【請求項１６】
前記光源駆動部は、
同一階調からなる所定画像が前記第１部分画像と前記第２部分画像との境界領域に位置する場合、前記所定画像に対応する光源ブロックのうち、駆動区間が短い光源ブロックをブースティングするように制御するブースティング決定部をさらに含むことを特徴とする請求項１４に記載の表示装置。
【請求項１７】
前記第１区間と前記第２区間とは同一の長さであることを特徴とする請求項１２に記載の表示装置。
【請求項１８】
前記光源駆動部は、
前記画像に基づいて前記第１発光モジュールの第１〜第ｋ光源ブロックに対応する第１グループのデューティ比と、前記第２発光モジュールの第１〜第ｍ光源ブロックに対応する第２グループのデューティ比とを決定するディミングレベル決定部と、
前記第１グループのデューティ比に基づいて前記第１グループの第１〜第ｋ駆動信号を生成し、前記第２グループのデューティ比に基づいて前記第２グループの第１〜第ｍ駆動信号を生成する信号発生部と、を含むことを特徴とする請求項１７に記載の表示装置。
【請求項１９】
前記光源駆動部は、
同一階調からなる所定画像が互いに隣接する複数の発光ブロックに位置する場合、前記所定画像に対応する光源ブロックのうち、デューティ比が小さい光源ブロックをブースティング駆動するように制御するブースティング決定部をさらに含むことを特徴とする請求項１８に記載の表示装置。
【請求項２０】
前記光源駆動部は、
前記第１グループのデューティ比及び前記第２グループのデューティ比のそれぞれを前のフレームのデューティ比に基づいてローパスフィルタリング方式で補正する時間ローパスフィルタと、
前記第１グループのデューティ比及び前記第２グループのデューティ比のそれぞれを隣接する光源ブロックのデューティ比に基づいてローパスフィルタリング方式で補正する空間ローパスフィルタと、をさらに含むことを特徴とする請求項１８に記載の表示装置。
【発明の詳細な説明】
【技術分野】
【０００１】
本発明は、光源ディミング方法及びそれを実行するための表示装置に関し、より詳しくは、表示品質を向上させるための光源ディミング方法及びそれを実行するための表示装置に関する。
【背景技術】
【０００２】
一般的に、液晶表示装置は、液晶の光透過率を利用して画像を表示する液晶表示パネル、及び液晶表示パネルの下に配置されて液晶表示パネルに光を提供するバックライトアセンブリを含む。
【０００３】
前記液晶表示パネルは、画素電極及び画素電極と電気的に接続された薄膜トランジスタを有するアレイ基板、共通電極及びカラーフィルタを有するカラーフィルタ基板、並びにアレイ基板とカラーフィルタ基板との間に介在する液晶層を含む。
【０００４】
最近、消費電力低減のための方案として、バックライトを複数の発光ブロックに分け、発光ブロックごとに輝度を制御して駆動するディミング（ｄｉｍｍｉｎｇ）技術が開発された。
【０００５】
ディミング技術は、表示画面を分析して、発光ブロックを部分的に点灯し、発光ブロックの明るさに従って画素の透過率を補正してバックライト電力の消費を減らし、コントラスト比を向上させる。
【０００６】
ディミング技術のうち、バックライトが液晶表示パネルの上下または左右のエッジに配置された構造においては、１次元のディミング技術を適用することができる。１次元ディミング技術は少ない数の発光ブロックを有するため駆動ロジックが簡単であるという利点があるが、字幕などのように明るい画像がいくつかの発光ブロックに渡って流れる画像の場合、消費電力低減効果が落ち、コントラスト比などの表示品質が低下するという問題を有する。
【先行技術文献】
【特許文献】
【０００７】
【特許文献１】韓国特許出願公開２００５−０１１２９０５号明細書
【特許文献２】韓国特許出願公開２００６−０１０９８４７号明細書
【特許文献３】韓国特許出願公開２００８−００７８２１０号明細書
【特許文献４】韓国特許６３８７２３号明細書
【特許文献５】韓国特許出願公開２００８−００５００４３号明細書
【特許文献６】韓国特許出願公開２００６−０１２５３２１号明細書
【特許文献７】韓国特許出願公開２００８−００７０２１４号明細書
【特許文献８】韓国特許出願公開２００８−００００８２５号明細書
【特許文献９】韓国特許出願公開２００７−０００２３１３号明細書
【発明の概要】
【発明が解決しようとする課題】
【０００８】
本発明が解決しようとする技術的課題は、このような問題点に鑑みてなされたものであり、本発明の目的は、エッジ型光源構造において表示品質を向上させるための光源ディミング方法を提供することにある。
【０００９】
本発明の他の目的は、前記ディミング駆動方法を実行するための表示装置を提供することにある。
【課題を解決するための手段】
【００１０】
上述の本発明の目的を達成するための一実施形態における光源モジュールは、導光板と、導光板の第１エッジに配置された第１〜第ｋ光源ブロックからなる第１発光モジュールと、第１エッジに対向する導光板の第２エッジに配置された第１〜第ｍ光源ブロックからなる第２発光モジュールを含む（ｋ及びｍは自然数）。前記光源モジュールのディミング方法は、画像に基づいて第１グループの第１〜第ｋ駆動信号及び第２グループの第１〜第ｍ駆動信号を生成し、基準区間の第１区間の間に第１グループの第１〜第ｋ駆動信号によって第１発光モジュールの第１〜第ｋ光源ブロックを駆動し、基準区間の第２区間の間に第２グループの第１〜第ｍ駆動信号によって第２発光モジュールの第１〜第ｍ光源ブロックを駆動する。
【００１１】
上述の本発明の他の目的を達成するための一実施形態における表示装置は、表示パネル、光源モジュール、及び光源駆動部を含む。前記表示パネルは画像を表示する。前記光源モジュールは、表示パネルの第１エッジに配置される第１〜第ｋ光源ブロックからなる第１発光モジュールと、第１エッジに対向する第２エッジに配置される第１〜第ｍ光源ブロックからなる第２発光モジュールとを含む。前記光源駆動部は、基準区間の第１区間の間に第１グループの第１〜第ｋ駆動信号を生成して第１発光モジュールの第１〜第ｋ光源ブロックを駆動し、基準区間の第２区間の間に第２グループの第１〜第ｍ駆動信号を生成して第２発光モジュールの第１〜第ｍ光源ブロックを駆動する。
【発明の効果】
【００１２】
本発明によると、基準区間を第１区間と第２区間とに時分割して、第１区間の間に第１グループの駆動信号を第１グループの光源ブロックに供給し、第２区間の間に第２グループの駆動信号を第２グループの光源ブロックに供給することによって、表示品質を向上させる。
【００１３】
以下、図面を参照しつつ、本発明の望ましい実施形態をより詳しく説明する。本発明には多様な変更を加えてもよく、様々な形態を有してもよいため、特定の実施形態を図面に例示し、本明細書において詳しく説明する。しかし、これは本発明を特定の開示された実施形態に限定するものではなく、本発明の趣旨及び技術範囲に含まれる全ての変更物、均等物、ないしは代替物を含むものと理解されるべきである。各図面の説明において類似する構成要素に対して類似する参照符号を使用した。添付の図面において、本発明の明確性を確保するために構造物のサイズを実際より拡大して示した。第１、第２などの用語は多様な構成要素を説明するために使用されてもよいが、各構成要素は使用される用語によって限定されるものではない。各用語は１つの構成要素を他の構成要素と区別する目的で使用されるものであって、例えば、明細書中において、第１構成要素を第２構成要素に書き換えてもよく、同様に第２構成要素を第１構成要素に書き換えてもよい。単数表現は、文脈上明白に異なる意味を有しない限り、複数の表現を含む。
【００１４】
本明細書において、「含む」または「有する」などの用語は、明細書に記載された特徴、数字、段階、動作、構成要素、部品、またはこれらを組み合わせたものが存在することを規定するものであって、１つまたはそれ以上の別の特徴、数字、段階、動作、構成要素、部品、またはこれらを組み合わせたものの存在または付加可能性を予め排除するものではないと理解されるべきである。
【図面の簡単な説明】
【００１５】
【図１】本発明の第１の実施形態における表示装置のブロック図である。
【図２】図１の表示装置の分解斜視図である。
【図３】図１に示す信号発生部のブロック図である。
【図４】図３の信号発生部の駆動を説明するための選択信号の波形図である。
【図５】図３の信号発生部の駆動を説明するための選択信号の波形図である。
【図６】図１の表示装置のディミング方法を説明するためのフローチャート図である。
【図７】図１の表示装置に表示されたテスト画像を示す概念図である。
【図８】図７に示すテスト画像を表示するための駆動信号の波形図である。
【図９】図７に示すテスト画像を表示するための駆動信号の波形図である。
【図１０】適応性輝度曲線を示すグラフである。
【図１１】図７に示すテスト画像を図１０に示す適応性輝度曲線に従って駆動するための駆動信号の波形図である。
【図１２】図７に示すテスト画像を図１０に示す適応性輝度曲線に従って駆動するための駆動信号の波形図である。
【図１３】本発明の第２の実施形態における表示装置のブロックである。
【図１４】図１３の表示装置のディミング方法を説明するためのフローチャート図である。
【図１５】図１３に示す信号発生部のブロック図である。
【図１６】図１３の表示装置に表示されたテスト画像を示す概念図である。
【図１７】図１６に示すテスト画像を表示するための駆動信号の波形図である。
【図１８】図１６に示すテスト画像を表示するための駆動信号の波形図である。
【図１９】本発明の第３の実施形態における表示装置のブロック図である。
【図２０】本発明の第４の実施形態における表示装置のブロック図である。
【発明を実施するための形態】
【実施例１】
【００１６】
図１は、本発明の第１の実施形態における表示装置のブロック図である。図２は、図１に示す表示装置の分解斜視図である。
【００１７】
図１及び図２を参照すると、前記表示装置は、表示パネル１１０、パネル駆動部２００、光源モジュール３００、及び光源駆動部５５０を含む。
【００１８】
表示パネル１１０は、画像を表示する複数の画素を含み、例えば、前記画素は、Ｍ×Ｎ（Ｍ及びＮは自然数）個の画素を含む。各画素は、ゲート配線及びデータ配線に接続されたスイッチング素子、並びに前記スイッチング素子に接続された液晶キャパシタ及びストレージキャパシタを含む。前記ストレージキャパシタは省略されてもよい。
【００１９】
パネル駆動部２００は、表示パネル１１０を駆動させる。パネル駆動部２００は、例えば、表示パネル１１０の駆動タイミングを制御するタイミング制御部（図示せず）、ディミング駆動部４００から供給された補正された階調をデータ電圧に変換して表示パネル１１０に出力するデータ駆動部２１０、及びデータ駆動部２１０の出力タイミングに同期して表示パネル１１０にゲート信号を出力するゲート駆動部２３０を含む。
【００２０】
本実施形態において、光源モジュール３００は、第１発光モジュール３１０、第２発光モジュール３２０、及び導光板３３０を含む。第１発光モジュール３１０及び第２発光モジュール３２０は、導光板３３０の互いに対向するエッジにそれぞれ配置され、導光板３３０は、第１発光モジュール３１０及び第２発光モジュール３２０から発生した光を表示パネル１１０にガイドする。
【００２１】
第１発光モジュール３１０は、表示パネル１１０の第１エッジと隣接するように配置され、第１グループの光源ブロック（Ｂ１１，Ｂ１２，Ｂ１３，…，Ｂ１ｋ）を含む。
【００２２】
第２発光モジュール３２０は、第１エッジに対向する第２エッジと隣接するように配置され、第２グループの光源ブロック（Ｂ２１，Ｂ２２，Ｂ２３，…，Ｂ２ｍ）を含む。第１グループの光源ブロック（Ｂ１１，Ｂ１２，Ｂ１３，…，Ｂ１ｋ）と第２グループの光源ブロック（Ｂ２１，Ｂ２２，Ｂ２３，…，Ｂ２ｍ）とは対称的に配置されてもよい。望ましくは、前記ｋ及びｍは、実質的に同一の自然数である。各光源ブロック（例えば、Ｂ２１）は少なくとも１つの発光ダイオードＬＥＤを含む。前記光源ブロックは、有機発光素子ＯＬＥＤ、蛍光ランプ、白熱ランプなどのような異なる発光素子を含むものでもよい。
【００２３】
光源駆動部５５０は、光源モジュール３００を駆動する基準区間を時分割して、第１区間の間に第１グループの光源ブロック（Ｂ１１，Ｂ１２，Ｂ１３，…，Ｂ１ｋ）を駆動し、第２区間の間に第２グループの光源ブロック（Ｂ２１，Ｂ２２，Ｂ２３，…，Ｂ２ｍ）を駆動する。基準区間はフレーム区間に対応し、第１区間及び第２区間は表示パネル１１０に表示されるフレーム画像の輝度によって決定されてもよい。
【００２４】
具体的には、光源駆動部５５０は、ディミング駆動部４００及び信号発生部５００を含む。ディミング駆動部４００は、ディミングレベル決定部４１０、周期決定部４２０、ブースティング決定部４３０、空間ローパスフィルタＬＰＦ４４０、時間ローパスフィルタＬＰＦ４５０、及び階調補正部４６０を含む。
【００２５】
ディミングレベル決定部４１０は、外部から受信したフレーム画像を光源モジュール３００に対応して複数の第１〜第ｋ画像ブロック（Ｄ１，Ｄ２，Ｄ３，…，Ｄｋ）に分け、第１〜第ｋ画像ブロック（Ｄ１，Ｄ２，Ｄ３，…，Ｄｋ）の階調に基づいて第１〜第ｋ画像ブロック（Ｄ１，Ｄ２，Ｄ３，…，Ｄｋ）の第１〜第ｋ代表輝度値を求める。ディミングレベル決定部４１０は、第１〜第ｋ代表輝度値に基づいて第１〜第ｋデューティ比を決定する。
【００２６】
周期決定部４２０は、フレーム画像を、第１グループの光源ブロック（Ｂ１１，Ｂ１２，Ｂ１３，…，Ｂ１ｋ）に隣接する第１部分画像ＤＰ１と、第２グループの光源ブロック（Ｂ２１，Ｂ２２，Ｂ２３，…，Ｂ２ｍ）に隣接する第２部分画像ＤＰ２とに分け、第１部分画像ＤＰ１及び第２部分画像ＤＰ２の輝度比率を求める。周期決定部４２０は、前記輝度比率に基づいて第１グループの光源ブロック（Ｂ１１，Ｂ１２，Ｂ１３，…，Ｂ１ｋ）に供給される第１グループの駆動信号の第１区間第２グループの光源ブロック（Ｂ２１，Ｂ２２，Ｂ２３，…，Ｂ２ｍ）に供給される第２グループの駆動信号の第２区間とを決定する。例えば、第１部分画像ＤＰ１及び第２部分画像ＤＰ２の輝度比率が５：５である場合、第１区間と第２区間との比率を基準区間に対して５：５に決定してもよい。また、第１部分画像ＤＰ１及び第２部分画像ＤＰ２の輝度比率が４：６である場合、第１区間と第２区間との比率を基準区間に対して４：６に決定してもよい。
【００２７】
ブースティング決定部４３０は、同一階調からなる所定の画像が第１部分画像ＤＰ１及び第２部分画像ＤＰ２の境界部分に位置する場合、第１部分画像ＤＰ１及び第２部分画像ＤＰ２の輝度比率に従って所定の画像に光を提供する光源ブロックのうち駆動区間の短い光源ブロックをブースティング駆動するように決定する。前記ブースティング方式としては、駆動信号のピーク電流レベルをブースティングし、またはデューティ比をブースティングし、或いはピーク電流及びデューティ比を同時にブースティングする方式を使用してもよく、望ましくはピーク電流レベルをブースティングする。
【００２８】
例えば、第１部分画像ＤＰ１及び第２部分画像ＤＰ２の輝度比率が３：７であり、所定画像が第１グループの第２光源ブロックＢ１２及び第２グループの第２光源ブロックＢ２２の境界領域に位置する場合、ブースティング決定部４３０は、輝度の低い第１部分画像ＤＰ１に対応する第１グループの第２光源ブロックＢ１２の輝度をブースティングするように決定する。これによって、信号発生部５００は、ピーク電流レベルが一般レベルより高いブースティングレベルを有する駆動信号を生成して第１グループの第２光源ブロックＢ１２に供給する。
【００２９】
空間ＬＰＦ４４０は、ディミングレベル決定部４１０で決定されたそれぞれの第１〜第ｋデューティ比を隣接するデューティ比に対してローパスフィルタリング方式で補正する。
【００３０】
時間ＬＰＦ４５０は、空間ＬＰＦ４４０によって補正されたそれぞれの第１〜第ｋデューティ比を前のフレームのデューティ比に対してローパスフィルタリング方式で補正する。また、時間ＬＰＦ４５０は周期決定部４２０で決定された第１区間及び第２区間を前のフレームの第１区間及び第２区間に対してローパスフィルタリング方式で補正する。例えば、前のフレームの第１区間及び第２区間の比率が５：５であり、現在のフレームの第１区間及び第２区間の比率が１：９である場合、現在のフレームの第１区間及び第２区間の比率を約３：７で補正して前のフレームと現在のフレームとの区間比率の差を緩和させる。空間ＬＰＦ４４０と時間ＬＰＦ４５０との動作の順序は反対でもよい。
【００３１】
階調補正部４６０は、空間ＬＰＦ４４０及び時間ＬＰＦ４５０を介して補正された第１〜第ｋデューティ比に基づいてフレーム画像の階調を補正する。補正された階調に基づいて表示パネル１１０の透過率を制御することによって、消費電力を低減させることができる。
【００３２】
信号発生部５００は、補正された第１〜第ｋデューティ比、並びに第１区間及び第２区間を利用して第１グループの第１〜第ｋ駆動信号及び第２グループの第１〜第ｍ駆動信号を生成する。第１〜第ｋ駆動信号は、第１〜第ｋデューティ比と第１区間とを有し、第１〜第ｋ駆動信号は第１グループの光源ブロック（Ｂ１１，Ｂ１２，Ｂ１３，…，Ｂ１ｋ）に供給される。第１〜第ｍ駆動信号は、第１〜第ｋデューティ比と第２区間とを有し、第１〜第ｍ駆動信号は第２グループの光源ブロック（Ｂ２１，Ｂ２２，Ｂ２３，…，Ｂ２ｍ）に供給される。また、信号発生部５００は、ブースティング決定部４３０の制御によってブースティング決定された光源ブロックの駆動信号として、一般レベルより高いブースティングレベルのピーク電流レベルを有する駆動信号を生成する。
【００３３】
図１及び図２を参照すると、本発明にかかる表示装置は、パネルモジュール１００及び光源モジュール３００を含む。
【００３４】
パネルモジュール１００は、表示パネル１１０、パネル駆動部２００、及びモールドフレーム１５０を含む。しかし、他の実施形態においてモールドフレーム１５０は省略されてもよい。パネル駆動部２００は、データ駆動部２１０及びゲート駆動部２３０を含む。図２の実施形態において、データ駆動部２１０は、データ駆動チップが実装されたデータテープキャリアパッケージ２１１と、データテープキャリアパッケージ２１１に外部電気信号を伝達するソース回路基板２１２とを含む。
【００３５】
図２の実施形態において、ゲート駆動部２３０は、ゲート駆動チップが実装されたゲートテープキャリアパッケージを含む。また、ゲート駆動部２３０は、表示パネル１１０の上に集積チップ形態で実装され、または表示パネル１１０が製造される工程において同時に形成されてもよい。
【００３６】
モールドフレーム１５０には、フレーム形状で表示パネル１１０の縁を支持する支持面が形成される。モールドフレーム１５０は、表示パネル１１０を支えて固定する。モールドフレーム１５０は、省略されてもよく、または表示パネル１１０の互いに対向する角に配置される一対のサイドモールドに代替されてもよい。
【００３７】
光源モジュール３００は、第１発光モジュール３１０、第２発光モジュール３２０、導光板３３０、及び反射板３７０を含む。第１発光モジュール３１０は、導光板３３０の第１エッジ３３０ａに隣接するように配置され、複数の発光ブロック３１１及び発光ダイオード３１１が実装された印刷回路基板３１２を含む。第２発光モジュール３２０は、導光板３３０の第１エッジ３３０ａに対向する第２エッジ３３０ｂに隣接するように配置され、複数の発光ダイオード３２１及び発光ダイオード３２１が実装された印刷回路基板３２２を含む。
【００３８】
導光板３３０は、第１発光モジュール３１０及び第２発光モジュール３２０から発生された光を表示パネル１１０にガイドする。反射板３７０は、導光板３３０と収納容器３８０の底面との間に配置されて、導光板３３０の底面から漏洩した光を反射する。
【００３９】
また、光源モジュール３００は、光学シート３０５及び収納容器３８０をさらに含むものでもよい。
【００４０】
光学シート３０５は、拡散シート３０５、プリズムシート３０２、及び集光シート３０３を含むものでもよい。収納容器３８０は、第１発光モジュール３１０及び第２発光モジュール３２０、並びに導光板３３０及び反射板３７０などを収納する。収納容器３８０は、望ましくはボトムシャーシである。
【００４１】
前記表示装置は光源駆動部５５０に該当する回路が実装される駆動回路基板５６０をさらに含み、駆動回路基板５６０は収納容器３８０の背部に配置されるものでもよい。
【００４２】
図３は、図１に示す信号発生部のブロック図である。図４及び図５は、図３の信号発生部５００の駆動を説明するための選択信号の波形図である。
【００４３】
図１及び図３を参照すると、信号発生部５００は昇圧部５１０及び制御回路を含む。光源モジュール３００は、第１グループの第１〜第ｋ光源ブロック（Ｂ１１，Ｂ１２，Ｂ１３，…，Ｂ１ｋ）及び第２グループの光源ブロック（Ｂ２１，Ｂ２２，Ｂ２３，…，Ｂ２ｍ）を含む。
【００４４】
昇圧部５１０は、入力電圧を昇圧して駆動電圧ＶＤを生成する。
【００４５】
前記制御回路は、駆動チップ５３１、第１時分割素子ＴＳ１、第２時分割素子ＴＳ２、第１グループのスイッチング素子（ＳＷ１１，ＳＷ１２，…，ＳＷ１ｋ）及び第２グループのスイッチング素子（ＳＷ２１，ＳＷ２２，…，ＳＷ２ｍ）を含む。
【００４６】
駆動チップ５３１は、信号発生部５００の全体的な駆動を制御する。例えば、駆動チップ５３１は、周期決定部４２０から提供される第１区間及び第２区間に従って、第１選択信号ＳＰ１及び第２選択信号ＳＰ２を生成する。第１選択信号ＳＰ１及び第２選択信号ＳＰ２は互いに位相が反転される。駆動チップ５３１は、第１〜第ｋデューティ比に基づいて第１パルス信号〜第ｋパルス信号（ＰＷＭ１，ＰＷＭ２，ＰＷＭ３，…，ＰＷＭｋ）を生成する。例えば、第１選択信号ＳＰ１及び第２選択信号ＳＰ２は、数Ｈｚの周波数を有し、第１〜第ｋパルス信号（ＰＷＭ１，ＰＷＭ２，ＰＷＭ３，…，ＰＷＭｋ）は数ｋＨｚの周波数を有する。
【００４７】
第１時分割信号ＴＳ１の制御電極は駆動チップ５３１と電気的に接続され、入力電極は昇圧部５１０と電気的に接続され、出力電極は第１グループの光源ブロック（Ｂ１１，Ｂ１２，Ｂ１，…，Ｂ１ｋ）の一端に共通して接続される。第２時分割素子ＴＳ２の制御電極は、駆動チップ５３１と電気的に接続され、入力電極は昇圧部５１０と電気的に接続され、出力電極は第２グループの光源ブロック（Ｂ２１，Ｂ２２，Ｂ２３，…，Ｂ２ｍ）の一端に共通して接続される。
【００４８】
第１時分割素子ＴＳ１は第１選択信号ＳＰ１に応答して基準区間のうちの第１区間の間に駆動電圧ＶＤを第１グループの光源ブロック（Ｂ１１，Ｂ１２，Ｂ１３，…，Ｂ１ｋ）に供給する。第２時分割素子ＴＳ２は第２選択信号ＳＰ２に応答して基準区間のうちの第２区間の間に駆動電圧ＶＤを第２グループの光源ブロック（Ｂ２１，Ｂ２２，Ｂ２３，…，Ｂ２ｍ）に供給する。
【００４９】
第１グループのスイッチング素子（ＳＷ１１，ＳＷ１２，…，ＳＷ１ｋ）のそれぞれの制御電極は駆動チップ５３１に電気的に接続され、入力電極は第１グループの光源ブロック（Ｂ１１，Ｂ１２，Ｂ１３，…，Ｂ１ｋ）の他端に電気的に接続される。第２グループのスイッチング素子（ＳＷ２１，ＳＷ２２，…，ＳＷ２ｍ）のそれぞれの制御電極は駆動チップ５３１に電気的に接続され、入力電極は第２グループの光源ブロック（Ｂ２１，Ｂ２２，Ｂ２３，…，Ｂ２ｍ）の他端と電気的に接続される。
【００５０】
第１グループのスイッチング素子（ＳＷ１１，ＳＷ１２，…，ＳＷ１ｋ）は第１〜第ｋパルス信号（ＰＷＭ１，ＰＷＭ２，ＰＷＭ３，…，ＰＷＭｋ）に応答して第１グループの光源ブロック（Ｂ１１，Ｂ１２，Ｂ１３，…，Ｂ１ｋ）に第１グループの第１〜第ｋ駆動信号を供給する。第２グループのスイッチング素子（ＳＷ２１，ＳＷ２２，…，ＳＷ２ｍ）は第１〜第ｍパルス信号（ＰＷＭ１，ＰＷＭ２，ＰＷＭ３，…，ＰＷＭｍ）に応答して第２グループの光源ブロック（Ｂ２１，Ｂ２２，Ｂ２３，…，Ｂ２ｍ）に第２グループの第１〜第ｍ駆動信号を供給する。本実施形態において、前記ｋはｍと同じ数であってもよい。その場合、第１〜第ｋパルス信号（ＰＷＭ１，ＰＷＭ２，ＰＷＭ３，…，ＰＷＭｋ）は第１〜第ｍパルス信号（ＰＷＭ１，ＰＷＭ２，  ＰＷＭ３，…，ＰＷＭｍ）と実質的に同一であり、パルス信号のセット（ＰＷＭ１，ＰＷＭ２，ＰＷＭ３，…，ＰＷＭｋ，ＰＷＭ１，ＰＷＭ２，ＰＷＭ３，…，ＰＷＭｍ）を供給するための配線が使用されてもよい。結果的に第ｋパルス信号ＰＷＭｋ及び第ｍパルス信号ＰＷＭｍは特別に言及されなくても混用して使用されてもよい。
【００５１】
図４を参照すると、第１区間Ｔ１及び第２区間Ｔ２が基準区間Ｔｒｅｆに対して５：５の比率を有する場合、第１選択信号ＳＰ１及び第２選択信号ＳＰ２のそれぞれのパルス幅は基準区間Ｔｒｅｆの約１／２になる。即ち、第１選択信号ＳＰ１がハイレベルである基準区間Ｔｒｅｆの約１／２区間に対応する第１区間の間、第１時分割素子ＴＳ１がターンオンされて第１グループの光源ブロック（Ｂ１１，Ｂ１２，Ｂ１３，…，Ｂ１ｋ）に駆動電圧ＶＤが印加され、一方、第２時分割素子ＴＳ２はターンオフされて第２グループの光源ブロック（Ｂ２１，Ｂ２２，Ｂ２３，…，Ｂ２ｍ）では駆動電圧ＶＤが遮断される。第２選択信号ＳＰ２がハイレベルである基準区間Ｔｒｅｆの約１／２区間に対応する第２区間の間、第２時分割素子ＴＳ２はターンオンされて第２グループの光源ブロック（Ｂ２１，Ｂ２２，Ｂ２３，…，Ｂ２ｍ）に駆動電圧ＶＤが印加され、一方、第１時分割素子ＴＳ１は、ターンオフされて第１グループの光源ブロック（Ｂ１１，Ｂ１２，Ｂ１３，…，Ｂ１ｋ）では駆動電圧ＶＤが遮断される。したがって、第１グループの光源ブロック（Ｂ１１，Ｂ１２，Ｂ１３，…，Ｂ１ｋ）と第２グループの光源ブロック（Ｂ２１，Ｂ２２，Ｂ２３，…，Ｂ２ｍ）とが駆動される時間が分割される。
【００５２】
一方、第１〜第ｋパルス信号（ＰＷＭ１，ＰＷＭ２，ＰＷＭ３，…，ＰＷＭｋ）は対応する第１〜第ｋデューティ比を有する。
【００５３】
例えば、第１画像ブロックＤ１によって第１デューティ比が５０％に決定されると、第１パルス信号ＰＷＭ１は、デューティ比が５０％のパルス幅を有する。第１パルス信号ＰＷＭ１は第１グループの第１光源ブロックＢ１１及び第２グループの第１光源ブロックＢ２１に供給される。つまり、第１グループの第１光源グループの第１光源ブロックＢ１１には第１区間Ｔ１と第１デューティ比５０％を有する第１駆動信号ＰＷＭ１＿１とが供給され、第２グループの第１光源ブロックＢ２１には第２区間Ｔ２と第１デューティ比５０％を有する第１駆動信号ＰＷＭ１＿２とが供給される。
【００５４】
図５を参照すると、第１区間Ｔ１及び第２区間Ｔ２が基準区間Ｔｒｅｆに対して３：７の比率を有する場合、第１選択信号ＳＰ１のパルス幅は基準区間Ｔｒｅｆの３／１０になり、第２選択信号ＳＰ２のパルス幅は基準区間Ｔｒｅｆの７／１０になる。
【００５５】
そのような実施形態において、第１グループの光源ブロック（Ｂ１１，Ｂ１２，Ｂ１３，…，Ｂ１ｋ）に供給される第１〜第ｋ駆動信号（例えば、ＰＷＭ１＿１）より第２グループの光源ブロック（Ｂ２１，Ｂ２２，Ｂ２３，…，Ｂ２ｍ）に供給される第１〜第ｍ駆動信号（例えば、ＰＷＭ１＿２）の区間が長くなる。したがって、第１グループの光源ブロック（Ｂ１１，Ｂ１２，Ｂ１３，…，Ｂ１ｋ）の駆動時間より第２グループの光源ブロック（Ｂ２１，Ｂ２２，Ｂ２３，…，Ｂ２ｍ）の駆動時間が長くなる。第２グループの光源ブロック（Ｂ２１，Ｂ２２，Ｂ２３，…，Ｂ２ｍ）の駆動時間の増加によって、第２グループの光源ブロック（Ｂ２１，Ｂ２２，Ｂ２３，…，Ｂ２ｍ）に対応する第２部分画像ＤＰ２が第１グループの光源ブロック（Ｂ１１，Ｂ１２，Ｂ１３，…，Ｂ１ｋ）に対応する第１部分画像ＤＰ１より高輝度で表示されてもよい。
【００５６】
第１部分画像ＤＰ１と第２部分画像ＤＰ２との輝度比率によって、第１グループの第１〜第ｋ駆動信号の第１区間Ｔ１と第２グループの第１〜第ｍ駆動信号の第２区間Ｔ２とを調節することによって、１次元ディミング構造から２次元ディミング駆動効果を得てもよい。
【００５７】
図６は、図１の表示装置におけるディミング駆動方法を説明するためのフローチャート図である。
【００５８】
図１〜図６を参照すると、ディミングレベル決定部４１０は、第１〜第ｋ画像ブロック（Ｄ１，Ｄ２，Ｄ３，…，Ｄｋ）の階調を利用して第１〜第ｋデューティ比を決定する（ステップＳ１２０）。
【００５９】
周期決定部４２０は、第１部分画像ＤＰ１と第２部分画像ＤＰ２との輝度比率に基づいて第１グループの第１〜第ｋ駆動信号の第１区間Ｔ１と、第２グループの第１〜第ｍ駆動信号の第２区間Ｔ２とを決定する（ステップＳ１３０）。
【００６０】
ブースティング決定部４３０は、互いに異なる輝度比率を有する第１部分画像ＤＰ１及び第２部分画像ＤＰ２の境界領域に同一階調の所定画像が位置する場合、所定画像に光を提供する光源ブロックのうち、輝度の低い、即ち、駆動区間が短い光源ブロックの輝度をブースティングするように決定する（ステップＳ１４０）。
【００６１】
空間ＬＰＦ４４０は、それぞれの第１〜第ｋデューティ比を隣接するデューティ比に対してローパスフィルタリング方式で補正する（ステップＳ１５０）。
【００６２】
時間ＬＰＦ４５０は、空間ＬＰＦ４４０によって補正されたそれぞれの第１〜第ｋデューティ比を前のフレームに対応するデューティ比に対してローパスフィルタリング方式で補正する。また、時間ＬＰＦ４５０は、現在のフレームの第１区間Ｔ１及び第２区間Ｔ２を前のフレームの第１区間Ｔ１及び第２区間Ｔ２に対してローパスフィルタリング方式で補正する（ステップＳ１６０）。
【００６３】
階調補正部４６０は、補正された第１〜第ｋデューティ比に基づいて画像ブロックの階調を補正する（ステップＳ１７０）。
【００６４】
信号発生部５００は、補正された第１〜第ｋデューティ比と第１区間Ｔ１及び第２区間Ｔ２とに基づいて第１グループの第１〜第ｋ駆動信号を生成し、第２グループの第１〜第ｍ駆動信号を生成する（ステップＳ１８０）。
【００６５】
図７は、図１の表示装置に表示されたテスト画像を示す概念図である。図８及び図９は、図７に示すテスト画像を表示するための駆動信号の波形図である。
【００６６】
図１、図７、図８及び図９を参照すると、ディミングレベル決定部４１０はテスト画像の第１〜第７画像ブロック（Ｄ１，Ｄ２，…，Ｄ７）のそれぞれに対応して第１〜第７デューティ比を決定する。例えば、ディミングレベル決定部４１０は第１画像ブロックＤ１及び第２画像ブロックＤ２に光を提供する第１及び第２光源ブロック（Ｂ１１，Ｂ１２，Ｂ２１，Ｂ２２）のそれぞれに供給される駆動信号のデューティ比を０％に決定し、第３画像ブロックＤ３に光を提供する第３光源ブロック（Ｂ１３，Ｂ２３）のそれぞれに供給される駆動信号のデューティ比を３０％に決定し、第４画像ブロックＤ４及び第７画像ブロックＤ７に光を提供する第４光源ブロック及び第７光源ブロック（Ｂ１４，Ｂ２４，Ｂ１７，Ｂ２７）のそれぞれに供給される駆動信号のデューティ比を５０％に決定し、第５画像ブロックＤ５及び第６画像ブロックＤ６に光を提供する第５光源ブロック及び第６光源ブロック（Ｂ１５，Ｂ２５，Ｂ１６，Ｂ２６）のそれぞれに供給される駆動信号のデューティ比を８０％に決定する。
【００６７】
周期決定部４２０は、テスト画像を第１発光モジュール３１０に隣接する第１部分画像ＤＰ１と第２発光モジュール３２０に隣接する第２部分画像ＤＰ２に分け、第１部分画像ＤＰ１及び第２部分画像ＤＰ２の輝度比率に従って第１区間Ｔ１及び第２区間Ｔ２を決定する。例えば、前記輝度比率が２：８である場合、第１グループの光源ブロック（Ｂ１１，Ｂ１２，…，Ｂ１７）に供給される第１駆動信号ＰＷＭ１＿１〜第７駆動信号ＰＷＭ１＿７の第１区間Ｔ１を基準区間Ｔｒｅｆの２／１０に決定し、第２グループの光源ブロック（Ｂ２１，Ｂ２２，…，Ｂ２７）に供給される第１駆動信号ＰＷＭ２＿１〜第７駆動信号ＰＷＭ２＿７の第２区間Ｔ２を基準区間Ｔｒｅｆの８／１０に決定する。
【００６８】
ブースティング決定部４３０は、同一階調からなる所定画像ＩＭに光を提供する第１グループの第６光源ブロックＢ１６及び第２グループの第６光源ブロックＢ２６のうち、低い輝度、つまり、短い区間を有する第１グループの第６光源ブロックＢ１６をブースティング駆動するように決定する。所定画像ＩＭは、第６画像ブロックＤ６に含まれ、第６画像ブロックＤ６は第１グループの第６光源ブロックＢ１６と第２グループの第６光源ブロックＢ２６とから光の提供を受ける。周期決定部４２０によると、第１部分画像ＤＰ１に対応する第１グループの第６光源ブロックＢ１６が第２部分画像ＤＰ２に対応する第２グループの第６光源ブロックＢ２６より駆動区間が短いために低い輝度で駆動される。したがって、ブースティング決定部４３０は、第１グループの第６光源ブロックＢ１６をブースティングするように決定して所定画像ＩＭの輝度偏差を防ぐ。
【００６９】
信号発生部５００は、ディミングレベル決定部４１０、周期決定部４２０、及びブースティング決定部４３０の制御によって、第１区間（Ｔ１＝約２／１０）の間に第１グループの光源ブロック（Ｂ１１，Ｂ１２，…，Ｂ１７）に第１駆動信号ＰＷＭ１＿１〜第７駆動信号ＰＷＭ１＿７を供給し、第２区間（Ｔ２＝約８／１０）の間に第２グループの光源ブロック（Ｂ２１，Ｂ２２，…，Ｂ２７）に第１駆動信号ＰＷＭ２＿１〜第７駆動信号ＰＷＭ２＿７を供給する。このとき、第１グループの第６駆動信号ＰＷＭ１＿６のピーク電流レベルは、一般レベルＩｎより高いブースティングレベルＩｂを有し、第１グループの第６駆動信号ＰＷＭ１＿６を除いた駆動信号のそれぞれのピーク電流レベルは、ブースティングレベルＩｂより低い一般レベルＩｎを有する。ブースティング駆動信号のピーク電流レベルを調整することは、駆動信号をブースティングする方法の一実施形態に過ぎない。
【００７０】
図８に示すように、基準区間Ｔｒｅｆの約２／１０の区間である第１区間Ｔ１の間、第１グループの光源ブロック（Ｂ１１，Ｂ１２，…，Ｂ１７）に第１〜第７デューティ比に対応するパルス幅を有する第１駆動信号ＰＷＭ１＿１〜第７駆動信号ＰＷＭ１＿７が供給される。
【００７１】
第１グループの第１光源ブロックＢ１１及び第１グループの第２光源ブロックＢ１２にはデューティ比０％に対応するローレベルの第１駆動信号ＰＷＭ１＿１及び第２駆動信号ＰＷＭ１＿２が供給される。第１グループの第３光源ブロックＢ１３にはデューティ比３０％と一般レベルＩｎを有する第３駆動信号ＰＷＭ１＿３が供給され、第１グループの第４光源ブロックＢ１４にはデューティ比５０％と一般レベルＩｎを有する第４駆動信号ＰＷＭ１＿４が供給され、第１グループの第５光源ブロックＢ１５にはデューティ比８０％と一般レベルＩｎを有する第５駆動信号ＰＷＭ１＿５が供給され、第１グループの第６光源ブロックＢ１６にはデューティ比８０％とブースティングレベルＩｂを有する第６駆動信号ＰＷＭ１＿６が供給され、第１グループの第７光源ブロックＢ１７にはデューティ比５０％と一般レベルＩｎを有する第７駆動信号ＰＷＭ１＿７が供給される。
【００７２】
一方、図９に示すように、基準区間Ｔｒｅｆの約８／１０の区間である第２区間Ｔ２の間、第２グループの光源ブロック（Ｂ２１，Ｂ２２，…，Ｂ２７）に第１〜第７デューティ比に対応するパルス幅を有する第１駆動信号ＰＷＭ２＿１〜第７駆動信号２＿７を供給する。例えば、第２区間Ｔ２の間の第１駆動信号ＰＷＭ２＿１〜第７駆動信号ＰＷＭ２＿７のデューティ比は、第１区間Ｔ１の間の第１駆動信号ＰＷＭ１＿１〜第７駆動信号ＰＷＭ１＿７のデューティ比と同様であってもよい。
【００７３】
第２グループの第１光源ブロックＢ２１及び第２グループの第２光源ブロックＢ２２にはデューティ比０％に対応するローレベルの第１駆動信号ＰＷＭ２＿１及び第２駆動信号ＰＷＭ２＿２が供給される。第２グループの第３光源ブロックＢ２３にはデューティ比３０％に対応する第３駆動信号ＰＷＭ２＿３が供給され、第２グループの第４光源ブロックＢ２４にはデューティ比５０％に対応する第４駆動信号ＰＷＭ２＿４が供給され、第２グループの第５光源ブロックＢ２５及び第６光源ブロックＢ２６にはデューティ比８０％に対応する第５駆動信号ＰＷＭ２＿５及び第６駆動信号ＰＷＭ２＿６が供給され、第２グループの第７光源ブロックＢ２７にはデューティ比５０％に対応する第７駆動信号ＰＷＭ２＿７が供給される。第２グループの第３ＰＷＭ２＿３〜第７駆動信号ＰＷＭ２＿７のそれぞれは、一般レベルＩｎを有する。ピーク電流レベル、前記デューティ比及び前記区間は表示される画像に従って調節されてもよい。
【００７４】
以下において、図１に示すブースティング決定部の他の実施形態による駆動方式として、適応性輝度曲線が適用されたブースティング駆動方式を説明する。
【００７５】
図１０は、適応性輝度曲線を示すグラフである。
【００７６】
図１０を参照すると、適応性輝度曲線によると、フレーム画像の平均階調が、０階調から設定された特定階調（例えば、８ｂｉｔ基準のとき、２５５階調）まで増加する場合、１次ガンマ特性に従って、輝度は０レベルから一般輝度レベル（例えば、３００ｎｉｔ）まで増加する。一方、平均階調が特定階調（２５５階調）である場合、フレーム画像に含まれた相対的に明るい画像（ＢＯＸ）の大きさによって輝度は２次ガンマ特性に従って変化する。図示するように、明るい画像ＢＯＸの大きさが１００％〜０％に減少するに従って輝度は一般輝度レベル３００ｎｉｔから最大輝度レベル（例えば、５００ｎｉｔ以上）に徐々に増加する。
【００７７】
前記適応性輝度曲線によると、明るい画像（ＢＯＸ）のサイズが小さいほど輝度を増加させてコントラスト比を改善して表示品質を向上させることができる。
【００７８】
図１１及び図１２は、図７に示すテスト画像を図１０に示す適応性輝度曲線に従って駆動するための駆動信号の波形図である。
【００７９】
図７、図１０、図１１及び図１２を参照すると、図８及び図９で説明したように、ディミング駆動部４００は、図７に示すテスト画像に基づいて第１区間Ｔ１、第２区間Ｔ２、及び第１〜第７デューティ比を決定する。また、ディミング駆動部４００は、テスト画像に含まれる明るい画像（ＢＯＸ）の大きさによってピーク電流レベルを決定する。
【００８０】
例えば、明るい画像の大きさ比が、全体フレーム画像の４０％である場合、ディミング駆動部４００は、図１０に示す適応性輝度曲線に従って画像に対応する第４〜第７光源ブロック（Ｂ１４，Ｂ２４，Ｂ１５，Ｂ２５，Ｂ１６，Ｂ２６，Ｂ１７，Ｂ２７）の輝度が約４４０ｎｉｔになるように第４〜第７駆動信号（ＰＷＭ１＿４，ＰＷＭ２＿４，…，ＰＷＭ１＿７，ＰＷＭ２＿７）のピーク電流レベルを決定する。
【００８１】
したがって、図１１及び図１２に示すように、第４光源ブロックＢ１４、Ｂ２４に供給される第４駆動信号ＰＷＭ１＿４、ＰＷＭ２＿４、第５光源ブロックＢ１５、Ｂ２５に供給される第５駆動信号ＰＷＭ１＿５、ＰＷＭ２＿５、第６光源ブロックＢ１６、Ｂ２６に供給される第６駆動信号ＰＷＭ１＿６、ＰＷＭ２＿６、及び第７光源ブロックＢ１７、Ｂ２７に供給される第７駆動信号ＰＷＭ１＿７、ＰＷＭ２＿７は一般電流レベルＩｎより高いブースティング電流レベルＩｂを有する。
【００８２】
したがって、明るい画像ＷＩが図８及び図９に説明した駆動方式に比べて相対的に高輝度で表示されることによってテスト画像のコントラスト比を改善してもよい。また、相対的に低い輝度で駆動される第１〜第３光源ブロック（Ｂ１１，Ｂ２１，Ｂ１２，Ｂ２２，Ｂ１３，Ｂ２３）で消費される電力を第４〜第７光源ブロック（Ｂ１４，Ｂ２４，Ｂ１５，Ｂ２５，Ｂ１６，Ｂ２６，Ｂ１７，Ｂ２７）を駆動するために利用することによって、消費電力効率を向上させてもよい。
【実施例２】
【００８３】
図１３は、本発明の第２の実施形態における表示装置のブロック図である。図１４は、図１３の表示装置によるディミング方法を説明するためのフローチャート図である。
【００８４】
図２、図１３及び図１４を参照すると、表示装置は、表示パネル１１０、パネル駆動部２００、光源モジュール３００、及び光源駆動部７５０を含む。以下においては、第１の実施形態と同一の構成要素に対しては繰り返しの説明を省略する。
【００８５】
光源駆動部７５０は、ディミング駆動部６００及び信号発生部７００を含む。ディミング駆動部６００はディミングレベル決定部６１０、ブースティング決定部６３０、空間ＬＰＦ６４０、時間ＬＰＦ６５０及び階調補正部６６０を含む。本実施形態において周期決定部は省略される。
【００８６】
ディミングレベル決定部６１０は、外部から受信したフレームを第１及び第２グループの光源ブロック（Ｂ１１，Ｂ１２，Ｂ１３，…，Ｂ１ｋ，Ｂ２１，Ｂ２２，Ｂ２３，…，Ｂ２ｍ）に対応して第１グループの画像ブロック（Ｄ１１，Ｄ１２，Ｄ１３，…，Ｄ１ｋ）と第２グループの画像ブロック（Ｄ２１，Ｄ２２，Ｄ２３，…，Ｄ２ｍ）とに分ける。ディミングレベル決定部６１０は、第１グループの画像ブロック（Ｄ１１，Ｄ１２，Ｄ１３，…，Ｄ１ｋ）と第２グループの画像ブロック（Ｄ２１，Ｄ２２，Ｄ２３，…，Ｄ２ｍ）との代表輝度値を利用して第１グループの光源ブロック（Ｂ１１，Ｂ１２，Ｂ１３，…，Ｂ１ｋ）に対応する第１グループのデューティ比と第２グループの光源ブロック（Ｂ２１，Ｂ２２，Ｂ２３，…，Ｂ２ｍ）に対応する第２グループのデューティ比とを決定する（ステップＳ２２０）。
【００８７】
ブースティング決定部６３０は、同一階調からなる所定の画像が複数の画像ブロックから光の提供を受ける場合、前記光源ブロックのうち、相対的に低い輝度、つまり、小さいデューティ比を有する光源ブロックをブースティングするように決定する（ステップＳ２３０）。前記ブースティング方式としては、駆動信号のピーク電流レベルをブースティングし、またはデューティ比をブースティングし、或いは電流及びデューティ比を同時にブースティングする方式を使用してもよく、望ましくはピーク電流レベルをブースティングする。
【００８８】
空間ＬＰＦ６４０は、第１グループのデューティ比及び第２グループのデューティ比のそれぞれを隣接するデューティ比に対してローパスフィルタリング方式で補正する（ステップＳ２４０）。
【００８９】
時間ＬＰＦ６５０は、空間ＬＰＦ６４０により補正された第１及び第２グループのデューティ比のそれぞれを前のフレームのデューティ比に対してローパスフィルタリング方式で補正する（ステップＳ２５０）。空間的補正（ステップＳ２４０）及び時間的補正（ステップＳ２５０）の順番は反対でもよい。
【００９０】
階調補正部６６０は、補正された第１及び第２グループのデューティ比に基づいて画像ブロックの階調を補正する（ステップＳ２６０）。補正された階調に従って表示装置１１０の透過率を制御することによって、消費電力を低減させてもよい。
【００９１】
信号発生部７００は、補正された第１及び第２グループのデューティ比に基づいて第１グループの第１〜第ｋ駆動信号を生成し、第２グループの第１〜第ｍ駆動信号を生成する（ステップＳ２７０）。また、信号発生部７００は、ブースティング決定部６３０の制御によってブースティングするように決定された光源ブロックの駆動信号として、一般レベルより高いブースティングレベルのピーク電流レベルを有する駆動信号を生成する。
【００９２】
図１５は、図１３に示す信号発生部のブロック図である。以下においては第１の実施形態と同一の構成要素には同一の符号を付して説明する。
【００９３】
図１３及び図１５を参照すると、信号発生部７００は、昇圧部７１０及び制御回路を含む。光源モジュール３００は、第１グループの第１〜第ｋ光源ブロック（Ｂ１１，Ｂ１２，Ｂ１３，…，Ｂ１ｋ）と第２グループの光源ブロック（Ｂ２１，Ｂ２２，Ｂ２３，…，Ｂ２ｍ）とを含む。
【００９４】
昇圧部７１０は、入力電圧を昇圧して駆動電圧ＶＤを生成する。
【００９５】
制御回路は、駆動チップ７３１、第１時分割素子ＴＳ１、第２時分割素子ＴＳ２、第１グループのスイッチング素子（ＳＷ１１，ＳＷ１２，…，ＳＷ１ｋ）及び第２グループのスイッチング素子（ＳＷ２１，ＳＷ２２，…，ＳＷ２ｍ）を含む。
【００９６】
駆動チップ７３１は、信号発生部７００の全般的な駆動を制御する。例えば、駆動チップ７３１は、第１選択信号ＳＰ１及び第２選択信号ＳＰ２を生成する。第１選択信号ＳＰ１及び第２選択信号ＳＰ２は互いに位相が反転され、同一のパルス幅を有する。図４に示すように、第１選択信号ＳＰ１及び第２選択信号ＳＰ２のそれぞれは基準区間Ｔｒｅｆの約１／２に対応するパルス幅を有し、第１の実施形態と異なるように固定される。
【００９７】
駆動チップ７３１は、前記第１グループのデューティ比に基づいて前記第１グループの第１〜第ｋ駆動信号（ＰＷＭ１１，ＰＷＭ１２，ＰＷＭ１３，…，ＰＷＭ１ｋ）を生成する。駆動信号７３１は、前記第２グループのデューティ比に基づいて前記第２グループの第１〜第ｍ駆動信号（ＰＷＭ２１，ＰＷＭ２２，ＰＷＭ２３，…，ＰＷＭ２ｍ）を生成する。例えば、第１選択信号ＳＰ１及び第２選択信号ＳＰ２は、数Ｈｚの周波数を有し、前記第１グループの第１〜第ｋ駆動信号（ＰＷＭ１１，ＰＷＭ１２，ＰＷＭ１３，…，ＰＷＭ１ｋ）及び前記第２グループの第１〜第ｍ駆動信号（ＰＷＭ２１，ＰＷＭ２２，ＰＷＭ２３，…，ＰＷＭ２ｍ）は、数ｋＨｚの周波数を有する。
【００９８】
第１時分割素子ＴＳ１の制御電極は駆動チップ７３１と電気的に接続し、入力電極は昇圧部７１０と電気的に接続し、出力電極は前記第１グループの光源ブロック（Ｂ１１，Ｂ１２，Ｂ１３，…，Ｂ１ｋ）の一端に共通して接続される。第２時分割素子ＴＳ２の制御電極は、駆動チップ７３１と電気的に接続し、入力電極は昇圧部７１０と電気的に接続し、出力電極は、第２グループの光源ブロック（Ｂ２１，Ｂ２２，Ｂ２３，…，Ｂ２ｍ）の一端に共通して接続される。
【００９９】
第１時分割素子ＴＳ１は第１選択信号ＳＰ１に応答して基準区間Ｔｒｅｆの前半１／２の区間である第１区間Ｔ１の間に駆動電圧ＶＤを第１グループの光源ブロック（Ｂ１１，Ｂ１２，Ｂ１３，…，Ｂ１ｋ）に供給する。第２時分割素子ＴＳ２は第２選択信号ＳＰ２に応答して基準区間の後半１／２の区間である第２区間Ｔ２の間に駆動電圧ＶＤを第２グループの光源ブロック（Ｂ２１，Ｂ２２，Ｂ２３，…，Ｂ２ｍ）に供給する。
【０１００】
即ち、第１選択信号ＳＰ１がハイレベルである前半１／２の第１区間Ｔ１の間に第１時分割素子ＴＳ１がターンオンされて第１グループの光源ブロック（Ｂ１１，Ｂ１２，Ｂ１３，…，Ｂ１ｋ）には駆動電圧ＶＤが印加され、一方、第２時分割素子ＴＳ２はターンオフされて第２グループの光源ブロック（Ｂ２１，Ｂ２２，Ｂ２３，…，Ｂ２ｍ）では駆動電圧ＶＤが遮断される。第２選択信号ＳＰ２がハイレベルである後半１／２の第２区間Ｔ２の間、第２時分割素子ＴＳ２はターンオンされて第２グループの光源ブロック（Ｂ２１，Ｂ２２，Ｂ２３，…，Ｂ２ｍ）に駆動電圧ＶＤが印加され、反面、第１時分割素子ＴＳ１はターンオフされて第１グループの光源ブロック（Ｂ１１，Ｂ１２，Ｂ１３，…，Ｂ１ｋ）では駆動電圧ＶＤが遮断される。
【０１０１】
第１グループのスイッチング素子（ＳＷ１１，ＳＷ１２，…，ＳＷ１ｋ）のそれぞれの制御電極は駆動チップ７３１と電気的に接続し、入力電極は、第１グループの光源ブロック（Ｂ１１，Ｂ１２，Ｂ１３，…，Ｂ１ｋ）の他端と電気的に接続する。第２グループのスイッチング素子（ＳＷ２１，ＳＷ２２，…，ＳＷ２ｍ）のそれぞれの制御電極は駆動チップ７３１と電気的に接続し、入力電極は、第２グループの光源ブロック（Ｂ２１，Ｂ２２，Ｂ２３，…，Ｂ２ｍ）の他端と電気的に接続される。
【０１０２】
第１グループのスイッチング素子（ＳＷ１１，ＳＷ１２，…，ＳＷ１ｋ）は、第１〜第ｋ駆動信号（ＰＷＭ１１，ＰＷＭ２１，ＰＷＭ３１，…，ＰＷＭｋ１）に応答して第１グループの光源ブロック（Ｂ１１，Ｂ１２，Ｂ１３，…，Ｂ１ｋ）のそれぞれの駆動を制御する。第２グループのスイッチング素子（ＳＷ２１，ＳＷ２２，…，ＳＷ２ｍ）は第１〜第ｍ駆動信号（ＰＷＭ２１，ＰＷＭ２２，ＰＷＭ２３，…，ＰＷＭ２ｍ）に応答して第２グループの光源ブロック（Ｂ２１，Ｂ２２，Ｂ２３，…，Ｂ２ｍ）のそれぞれの駆動を制御する。
【０１０３】
図１６は、図１３の表示装置に表示されたテスト画像を示す概念図である。図１７及び図１８は、図１６に示すテスト画像を表示するための駆動信号の波形図である。
【０１０４】
図１３、図１６、図１７及び図１８を参照すると、ディミングレベル決定部６１０は、第１及び第２グループの画像ブロック（Ｄ１１，Ｄ１２，Ｄ１３，…，Ｄ１ｋ，Ｄ２１，Ｄ２２，Ｄ２３，…，Ｄ２ｍ）の代表値を利用して第１グループの光源ブロック（Ｂ１１，Ｂ１２，Ｂ１３，…，Ｂ１ｋ）に対応する第１グループの第１〜第ｋデューティ比と第２グループの光源ブロック（Ｂ２１，Ｂ２２，Ｂ２３，…，Ｂ２ｍ）に対応する第２グループの第１〜第ｍデューティ比を決定する。
【０１０５】
例えば、ディミングレベル決定部６１０は、第１グループの第１、第２及び第４光源ブロック（Ｂ１１，Ｂ１２，Ｂ１４）のそれぞれのデューティ比を３０％に決定し、第１グループの第３光源ブロックＢ１３及び第７光源ブロックＢ１７のそれぞれのデューティ比を５０％に決定し、第１グループの第５光源ブロックＢ１５及び第６光源ブロックＢ１６のそれぞれのデューティ比を８０％に決定する。ディミングレベル決定部６１０は、第２グループの第１光源ブロックＢ２１のデューティ比を８０％に決定し、第２グループの第２光源ブロックＢ２２、第４光源ブロックＢ２４、及び第５光源ブロックＢ２５のそれぞれのデューティ比を０％に決定し、第２グループの第３光源ブロックＢ２３のデューティ比を５０％に決定し、第２グループの第６光源ブロックＢ２６及び第７光源ブロックＢ２７のそれぞれのデューティ比を３０％に決定する。
【０１０６】
ブースティング決定部６３０は、同一階調からなる所定の画像ＩＭに光を提供する第１及び第２グループの第６及び第７光源ブロック（Ｂ１６，Ｂ２６，Ｂ１７，Ｂ２７）のうち、相対的に低い輝度、つまり、小さいデューティ比を有する第１グループの第７光源ブロックＢ１７、第２グループの第６光源ブロックＢ２６及び第７光源ブロックＢ２７をブースティングするように決定する。結果的に、所定画像ＩＭの同一階調は第１及び第２グループの第６及び第７光源ブロック（Ｂ１６，Ｂ２６，Ｂ１７，Ｂ２７）に渡って表示される。
【０１０７】
よって、信号発生部７００は、ディミングレベル決定部６１０及びブースティング決定部６３０の制御に従って、第１グループの駆動信号（ＰＷＭ１１，ＰＷＭ１２，ＰＷＭ１３，…，ＰＷＭ１７）を生成して第１グループの光源ブロック（Ｂ１１，Ｂ１２，…，Ｂ１７）に供給し、第２グループの駆動信号（ＰＷＭ２１，ＰＷＭ２２，ＰＷＭ２３，…，ＰＷＭ２７）を生成して第２グループの光源ブロック（Ｂ２１，Ｂ２２，Ｂ２３，…，Ｂ２７）に供給する。このとき、ブースティング決定部６３０で決定された第１グループの第７光源ブロックＢ１７と、第２グループの第６光源ブロックＢ２６及び第７光源ブロックＢ２７とに供給される駆動信号のそれぞれのピーク電流レベルは、一般電流Ｉｎより高いブースティングレベルＩｂを有する。
【０１０８】
図１７に示すように、基準区間Ｔｒｅｆの約１／２の区間（Ｔ１＝約５／１０）に対応する第１区間の間、第１グループの第１光源ブロックＢ１１、第２光源ブロックＢ１２、及び第４光源ブロックＢ１４にはデューティ比３０％に対応する第１駆動信号ＰＷＭ１１、第２駆動信号ＰＷＭ１２、及び第４駆動信号ＰＷＭ１４が供給される。第１グループの第３光源ブロックＢ１３及び第７光源ブロックＢ１７にはデューティ比５０％に対応する第３駆動信号ＰＷＭ１３及び第７駆動信号ＰＷＭ１７が供給される。第１グループの第５光源ブロックＢ１５及び第６光源ブロックＢ１６にはデューティ比８０％に対応する第５駆動信号ＰＷＭ１５及び第６駆動信号ＰＷＭ１６が供給される。第１グループの第１駆動信号ＰＷＭ１１〜第６駆動信号ＰＷＭ１６それぞれのピーク電流レベルは、一般レベルＩｎを有し、第１グループの第７駆動信号ＰＷＭ１７のピーク電流レベルは、ブースティングレベルＩｂを有する。
【０１０９】
一方、図１８を参照すると、基準区間Ｔｒｅｆの約１／２の区間（Ｔ２＝約５／１０）に対応する第２区間の間、第２グループの第１光源ブロックＢ２１にはデューティ比８０％に対応する第１駆動信号ＰＷＭ２１が供給される。第２グループの第２光源ブロックＢ２２、第４光源ブロックＢ２４、及び第５光源ブロックＢ２５にはデューティ比０％に対応する第２駆動信号ＰＷＭ２２、第４駆動信号ＰＷＭ２４、及び第５駆動信号ＰＷＭ２５が供給される。第２グループの第３光源ブロックＢ２３にはデューティ比５０％に対応する第３駆動信号ＰＷＭ２３が供給される。第２グループの第６光源ブロックＢ２６及び第７光源ブロックＢ２７にはデューティ比３０％に対応する第６駆動信号ＰＷＭ２６及び第７駆動信号ＰＷＭ２７が供給される。第２グループの第１駆動信号ＰＷＭ１１及び第３駆動信号ＰＷＭ１３のそれぞれのピーク電流レベルは、一般レベルＩｎを有し、第２グループの第６駆動信号ＰＷＭ２６及び第７駆動信号ＰＷＭ２７のそれぞれのピーク電流レベルは、ブースティングレベルＩｂを有する。
【０１１０】
図示していないが、図１６に示すテスト画像を図１０に示す適応性輝度曲線を利用して駆動してもよい。例えば、ディミング駆動部６００は、テスト画像のうち、明るい画像の大きさの比率に従ってピーク電流レベルを決定してもよい。したがって、適応性輝度曲線を適用する場合、テスト画像のコントラスト比が向上し、消費電力効率が向上する。
【実施例３】
【０１１１】
図１９は、本発明の第３の実施形態における表示装置のブロック図である。
【０１１２】
図２及び図１９を参照すると、前記表示装置は、表示パネル１１０、光源モジュール（図示せず）、及び光源駆動部９５０を含む。第３の実施形態における表示装置は、第１の実施形態における表示装置と比べると、光源モジュール及び光源モジュールを駆動する光源駆動部９５０を除いて、実質的に同じである。以下においては、第１の実施形態と実質的に同一の構成要素に対しては繰り返しの説明は省略する。
【０１１３】
前記光源モジュールは、第１光源モジュール３１０、第２発光モジュール３２０、第３発光モジュール３４０、第４発光モジュール３５０、及び導光板３３０を含む。
【０１１４】
第１発光モジュール３１０は、導光板３３０の第１エッジに配置され、第２発光モジュール３２０は、導光板３３０の第１エッジに対向する第２エッジに配置され、第３発光モジュール３４０は、導光板３３０の第１エッジと隣接する第３エッジに配置され、第４発光モジュール３５０は、導光板３３０の第３エッジと対向する第４エッジに配置される。第１発光モジュール３１０〜第４発光モジュール３５０のそれぞれは複数の発光ダイオードＬＥＤと発光ダイオードが実装された印刷回路基板とを含む。他の実施形態において、第１発光モジュール３１０〜第４発光モジュール３５０のそれぞれは異なる発光素子を含むものでもよい。
【０１１５】
第１発光モジュール３１０及び第２発光モジュール３２０は、第１の実施形態において説明したように、表示パネル１１０に表示される画像の輝度に従ってバックライトをディミング駆動するために複数の光源ブロックからなる。例えば、第１発光モジュール３１０及び第２発光モジュール３２０は、第１グループの光源ブロック（Ｂ１１，Ｂ１２，Ｂ１３，…，Ｂ１ｋ）と第２グループの光源ブロック（Ｂ２１，Ｂ２２，Ｂ２３，…，Ｂ２ｍ）とからなる。
【０１１６】
第３発光モジュール３４０及び第４発光モジュール３５０は、表示パネル１１０に表示される画像の輝度を増加させるために、表示パネル１１０に光を提供する。
【０１１７】
光源駆動部９５０は、ディミング駆動部８００及び信号発生部９００を含む。
【０１１８】
ディミング駆動部８００は、第１の実施形態において説明したディミング駆動部（図１の符号４００）と実質的に同一の構成要素及び動作で第１発光モジュール３１０及び第２発光モジュール３２０をディミング駆動する。また、ディミング駆動部８００は、第３発光モジュール３４０及び第４発光モジュール３５０を駆動する。
【０１１９】
信号発生部９００は、ディミング駆動部８００の制御に従って、第１の実施形態のように、第１部分画像ＤＰ１及び第２部分画像ＤＰ２の輝度比率に従って、基準区間を第１区間及び第２区間に時分割して第１発光モジュール３１０及び第２発光モジュール３２０に駆動信号を供給する。また、信号発生部９００は、ディミング駆動部８００の制御に従って、基準区間において駆動信号を第３発光モジュール３４０及び第４発光モジュール３５０に供給する。つまり、第３発光モジュール３４０及び第４発光モジュール３５０は、第１発光モジュール３１０及び第２発光モジュール３２０がディミング駆動する間、表示パネル１１０に一定の輝度を有する光を提供することによって、前記ディミング駆動による輝度不足を補充してもよい。
【０１２０】
上述において、第１発光モジュール３１０及び第２発光モジュール３２０がディミング駆動し、第３発光モジュール３４０及び第４発光モジュール３５０が輝度改善のために駆動することを例示したが、反対に第３発光モジュール３４０及び第４発光モジュール３５０がディミング駆動し、第１発光モジュール３１０及び第２発光モジュール３２０が輝度改善のために駆動するものでもよい。
【０１２１】
また、以上においては、第１の実施形態における第１発光モジュール及び第２発光モジュールのディミング駆動を例示したが、他の例として、第２の実施形態における第１発光モジュール及び第２発光モジュールのディミング駆動が適用されてもよい。例えば、第２の実施形態における第１発光モジュール及び第２発光モジュールはディミング駆動し、第３発光モジュール及び第４発光モジュールは輝度改善のために駆動されてもよい。
【実施例４】
【０１２２】
図２０は、本発明の第４の実施形態による表示装置のブロック図である。
【０１２３】
図２及び図２０を参照すると、前記表示装置は、表示パネル１１０と表示パネル１１０に光を提供する光源モジュール（図示せず）とを含む。
【０１２４】
前記光源モジュール（図示せず）は、第１光源モジュール３１０、第２発光モジュール３２０、第３発光モジュール３４０、第４発光モジュール３５０、及び導光板３３０を含む。
【０１２５】
第１発光モジュール３１０は、導光板３３０の第１エッジに配置され、第２発光モジュール３２０は、導光板３３０の第１エッジに対向する第２エッジに配置され、第３発光モジュール３４０は、導光板３３０の第１エッジと隣接する第３エッジに配置され、第４発光モジュール３５０は、導光板３３０の第３エッジに対向する第４エッジに配置される。第１発光モジュール３１０〜第４発光モジュール３５０のそれぞれは複数の発光ダイオードＬＥＤと発光ダイオードが実装された印刷回路基板とを含む。
【０１２６】
第１発光モジュール３１０は、第１グループの光源ブロック（Ｂ１１，Ｂ１２）を含み、第２発光モジュール３２０は、第２グループの光源ブロック（Ｂ２１，Ｂ２２）を含み、第３発光モジュール３４０は、第３グループの光源ブロック（Ｂ３１，Ｂ３２）を含み、第４発光モジュール３５０は、第４グループの光源ブロック（Ｂ４１，Ｂ４２）を含む。
【０１２７】
第１発光モジュール３１０、第２発光モジュール３２０、第３発光モジュール３４０、及び第４発光モジュール３５０は、表示パネル１１０に表示される画像に対応して輝度が決定される。
【０１２８】
例えば、表示パネル１１０にはフレーム画像が表示され、前記フレーム画像は、第１発光モジュール３１０、第２発光モジュール３２０、第３発光モジュール３４０、及び第４発光モジュール３５０の光源ブロックに従って２×２個の画素ブロック、即ち、第１画像ブロックＤ１、第２画像ブロックＤ２、第３画像ブロックＤ３、及び第４画像ブロックＤ４に分けられる。
【０１２９】
第１画像ブロックＤ１の輝度に従って、第１グループの第１光源ブロックＢ１１と第３グループの第１光源ブロックＢ３１とのディミングレベルが決定される。第２画像ブロックＤ２の輝度に従って第１グループの第２光源ブロックＢ１２と第４グループの第１光源ブロックＢ４１とのディミングレベルが決定される。第３画像ブロックＤ３の輝度に従って第２グループの第１光源ブロックＢ２１と第３グループの第２光源ブロックＢ３２とのディミングレベルが決定される。第４画像ブロックＤ４の輝度に従って第２グループの第２光源ブロックＢ２２及び第４グループの第２光源ブロックＢ４２のディミングレベルが決定される。
【０１３０】
したがって、第１発光モジュール３１０及び第２発光モジュール３２０は、ｉ個の光源ブロックからなり、第３発光モジュール３４０及び第４発光モジュール３５０は、ｊ個の光源ブロックからなる場合、光源モジュールはｉ×ｊ個の光源ブロック別に２次元ディミング駆動されてもよい。前記ｉ及びｊは、自然数である。
【０１３１】
以上、添付図面を参照しながら本発明の好適な実施形態について詳細に説明したが、本発明はかかる例に限定されない。本発明の属する技術分野における通常の知識を有する者であれば、特許請求の範囲に記載された技術的思想の範囲内において、各種の変形例または修正例に想到し得ることは明らかであり、これらについても、当然に本発明の技術的範囲に属するものと理解される。
【符号の説明】
【０１３２】
１１０       表示パネル
２００       パネル駆動部
３００       光源モジュール
３１０       第１発光モジュール
３２０       第２発光モジュール
３３０       導光板
３４０       第３発光モジュール
３５０       第４発光モジュール
５５０、７５０、９５０           光源駆動部
４００、６００、８００           ディミング駆動部
４１０、６１０                   ディミングレベル決定部
４２０       周期決定部
４３０、６３０      ブースティング決定部
４４０、６４０      空間ＬＰＦ
４５０、６５０      時間ＬＰＦ
４７０       階調補正部
５００、７００、９００           信号発生部
【図１】
2010282197.tif 000003
【図２】
2010282197.tif 000004
【図３】
2010282197.tif 000005
【図４】
2010282197.tif 000006
【図５】
2010282197.tif 000007
【図６】
2010282197.tif 000008
【図７】
2010282197.tif 000009
【図８】
2010282197.tif 000010
【図９】
2010282197.tif 000011
【図１０】
2010282197.tif 000012
【図１１】
2010282197.tif 000013
【図１２】
2010282197.tif 000014
【図１３】
2010282197.tif 000015
【図１４】
2010282197.tif 000016
【図１５】
2010282197.tif 000017
【図１６】
2010282197.tif 000018
【図１７】
2010282197.tif 000019
【図１８】
2010282197.tif 000020
【図１９】
2010282197.tif 000021
【図２０】
2010282197.tif 000022